(57)【要約】【課題】ネジを使用せず、支え枠を着脱できる乳幼児用椅子を提供する。【解決手段】左右一対の前脚２，２と、各前脚２に人の字状に連結された後脚３，３と、左右の前脚２，２間に横設された乳幼児着座用の座板６，７と、座板６上に着座した乳幼児の前方への落下を防ぐ支え枠５を備えた乳幼児用椅子１において、支え枠５は、左右の前脚２，２に対し支え枠５を回転させることによって着脱することができ、ネジを用いず手で支え枠５を取り付け、および取り外しすることができる。【選択図】図１
0003185464.tif 000002
【実用新案登録請求の範囲】
【請求項１】
左右一対の前脚と、各前脚に連結された後脚と、前記左右の前脚間に横設された乳幼児着座用の座板と、該座板上に着座した乳幼児の前方への落下を防ぐことのできる前記左右の前脚間に横設された支え枠を備えた乳幼児用椅子において、
前記支え枠は、回転させることによって前記左右の前脚に対し着脱できるように構成されていることを特徴とする乳幼児用椅子。
【請求項２】
前記支え枠の左右端には、突出寸法の長い下突起部と、突起寸法の短い上突起部が上下に間隔をおいて突設されてなり、
前記左右の前脚には、
前記下突起部の突出寸法に対応する深さの落し込み溝と、
該落し込み溝の上端に連通する前記下突起部が回転可能な径を有し該落し込み溝と同一深さの回転穴と、
該回転穴に連通し前記落し込み溝と一直線状に上方に延び上端が開放された前記上突起部の突出寸法に対応する深さの浅溝と、
前記回転穴に連通し前記浅溝と所定角度をなして横方向に延び先端が開放された前記下突起部の突出寸法に対応する深さの深溝とが、形成されてなり、
前記深溝内に前記下突起部を挿入して該下突起部を前記回転穴内に配置させ、その状態で支え枠を上方へ回転させて、前記上突起部を前記浅溝内に挿入しつつ前記下突起部を前記落し込み溝内に挿入して、前記支え枠を前記前脚に取り付けできるように構成した
ことを特徴とする請求項１に記載の乳幼児用椅子。
【請求項３】
前記後脚の上端には縦方向に嵌合溝が形成されてなり、
該嵌合溝内に前記前脚が嵌合されて、前記後脚と前記前脚が連結されていることを特徴とする請求項１に記載の乳幼児用椅子。
【考案の詳細な説明】
【技術分野】
【０００１】
本考案は、乳幼児用の椅子に関するものである。
【背景技術】
【０００２】
従来、特許文献１に開示されているような乳幼児用椅子が存在する。
【先行技術文献】
【特許文献】
【０００３】
【特許文献１】実用新案登録第３１７０７６５号公報
【考案の概要】
【考案が解決しようとする課題】
【０００４】
上記特許文献１に開示されている乳幼児用椅子においては、乳幼児が着座した状態での乳幼児の落下を防ぐための支え枠（ガード枠）は、ボルトで固定状に取り付けられているものであるため、この支え枠を取り外そうとすれば、乳幼児用椅子全体をバラバラにしないと取り外すことができないものであり、必要に応じて支え枠を取り外した乳幼児用椅子として使用することが困難なものであった。
【課題を解決するための手段】
【０００５】
本考案は、容易に支え枠を着脱することができる乳幼児用椅子の提供を目的とし、この目的の少なくとも一部を達成するために以下の手段を採った。
本考案は、左右一対の前脚と、各前脚に連結された後脚と、前記左右の前脚間に横設された乳幼児着座用の座板と、該座板上に着座した乳幼児の前方への落下を防ぐことのできる前記左右の前脚間に横設された支え枠を備えた乳幼児用椅子において、
前記支え枠は、回転させることによって前記左右の前脚に対し着脱できるように構成されていることを要旨とする。
【考案の効果】
【０００６】
本考案の乳幼児用椅子においては、支え枠は回転させることによって左右の前脚に対し着脱することができるため、必要に応じて支え枠を取り付けたり取り外したりして、乳幼児用椅子の仕様態様を変えることができ、また、支え枠は回転させないと取り外すことはできないため、着座状態の乳幼児は容易に支え枠を取り外すことはできないために、安全性が確保されたものとなる。
【０００７】
また、本考案の乳幼児用椅子において、
前記支え枠の左右端には、突出寸法の長い下突起部と、突起寸法の短い上突起部が上下に間隔をおいて突設されてなり、
前記左右の前脚には、
前記下突起部の突出寸法に対応する深さの落し込み溝と、
該落し込み溝の上端に連通する前記下突起部が回転可能な径を有し該落し込み溝と同一深さの回転穴と、
該回転穴に連通し前記落し込み溝と一直線状に上方に延び上端が開放された前記上突起部の突出寸法に対応する深さの浅溝と、
前記回転穴に連通し前記浅溝と所定角度をなして横方向に延び先端が開放された前記下突起部の突出寸法に対応する深さの深溝とが、形成されてなり、
前記深溝内に前記下突起部を挿入して該下突起部を前記回転穴内に配置させ、その状態で支え枠を上方へ回転させて、前記上突起部を前記浅溝内に挿入しつつ前記下突起部を前記落し込み溝内に挿入して、前記支え枠を前記前脚に取り付けできるように構成したものとすることもできる。
こうすれば、前脚に形成された深溝内に、支え枠の端に突出された下突起部を挿入して、下突起部を前脚に形成された回転穴内に配置させることができ、その状態で、支え枠を上方へ回転させて、支え枠の端に突出された上突起部を、前脚に形成された浅溝内に挿入しつつ下突起部を前脚に形成された落し込み溝内に挿入して、支え枠を前脚に回転させて取り付けることができ、ネジを用いることなく、容易に左右の前脚間に支え枠を取り付けできるものとなる。
また、取り付けられた状態から支え枠を取り外す場合には、支え枠を上方へスライドさせて、前脚の浅溝から支え枠の上突起部を上外側へ抜き出し、その状態で、下方向へ支え枠を回転させて、前脚の深溝の位置に支え枠の上突起部を配置させて、この状態で、支え枠の下突起部を前脚の深溝を通して外側へ抜き取り、支え枠を容易に取り外すことができるものとなる。
なお、回転させないと支え枠を取り外すことはできないために、乳幼児が使用中に支え枠を手で外せるものではなく、安全性が確保されたものとなる。
【０００８】
また、本考案の乳幼児用椅子において、前記後脚の上端には縦方向に嵌合溝が形成されてなり、
該嵌合溝内に前記前脚が嵌合されて、前記後脚と前記前脚が連結されているものとすることもできる。
こうすれば、後脚の上端に縦方向に形成された嵌合溝内に前脚が嵌合されて組み付けられているため、横方向にズレが生ずることがなく、横揺れのない強固な安定した乳幼児用椅子となる。
【図面の簡単な説明】
【０００９】
【図１】乳幼児用椅子の組立状態の斜視構成図である。
【図２】乳幼児用椅子の主要部の部材を分解した分解斜視図である。
【図３】背面側から見た組立状態の要部斜視構成図である。
【図４】前脚に形成された落し込み溝と回転穴と浅溝と深溝の構成図である。
【図５】支え枠の端に突出形成された下突起部と上突起部の構成図である。
【図６】下突起部と上突起部を形成した板部材の正面図である。
【考案を実施するための形態】
【００１０】
次に、本考案を実施するための形態を実施例を用いて説明する。
図１は、乳幼児用椅子の組立状態の斜視構成図である。
左右一対の前脚２，２が間隔をおいて立設されており、この左右の前脚２，２の高さ方向ほぼ中央部には、後脚３，３がそれぞれ連結されて、前脚２と後脚３で人の字状をなしている。
左右の前脚２，２間には、上端側に背板４が立設されており、背板４の下方には、前脚２，２間に乳幼児が着座できる水平状の上座板６が組み付けられ、更にこの上座板６と平行状に下方側に前脚２，２間に下座板７が組み付けられている。
また、背板４の前方の前脚２，２間には、湾曲状に形成した支え枠５が配置されており、上座板６上に着座した乳幼児の前方への落下をこの支え枠５で防ぐように構成されている。また、支え枠５の中央部から上座板６の裏面に亘りベルト８が設けられており、このベルト８の下端側は上座板６の裏面に形成された孔に固定されている。
【００１１】
また、図２の要部分解図で示すように、前記背板４は、前脚２，２間の上端部分に丸棒９を連結して固定されるものであり、また、上座板６の裏底部は前脚２，２間に横設された横板１０により支持されており、また、下座板７も前脚２，２間に横設された横板１１により支持されている。また、左右の後脚３，３間には短い短横板１２が横設されて、この短横板１２により左右の後脚３，３が連結されている。
【００１２】
なお、図３の背面側からの要部斜視図で示すように、各後脚３の上端には縦方向にコの字状の嵌合溝３ａが形成されており、この嵌合溝３ａ内に前脚２の背面２ａ側が嵌め込まれ、この状態で、後脚３の嵌合溝３ａの部分に横方向からボルトが締め付けられて組み付けられている。また、前記丸棒９，横板１０，横板１１の両端側には、前脚２側からボルトが締め付けられて組み付けられている。短横板１２も同様に、その両端側がボルトを介して後脚３に締め付け固定されている。
なお、前脚２は後脚３に形成された嵌合溝３ａ内に嵌合されて組み付けられているため、横揺れが防がれ、ガタつきのない強固な乳幼児用椅子１が形成されている。
【００１３】
従来においては、支え枠５はボルトで前脚２，２間に固定されており、支え枠５を取り外そうとすれば、乳幼児用椅子１全体をボルトを外してバラバラにした状態とせねばならなかったのであるが、本例では、支え枠５はボルトを用いることなく前脚２，２間に取り付け固定されており、支え枠５を前脚２，２から着脱できるように構成されている。
即ち、必要に応じて支え枠５を取り付け，取り外して、乳幼児用椅子１を使用することができるものとなり、乳幼児用椅子１の仕様態様を容易に変更させることができるものとなっている。
【００１４】
支え枠５の両端には図５に示すように、外側へ突出して下突起部１３ｂと上突起部１３ｃが突出形成されている。
なお、この下突起部１３ｂおよび上突起部１３ｃは、図６に示すような鉄製あるいは樹脂製で形成された板部材１３を支え枠５の端部に形成した溝内に差し込み固定することで突出形成されたものである。
図６に示す板部材１３は、支え枠５の端部に形成された溝内に差し込み固定される基部１３ａと、この基部１３ａの下端から突出する下突起部１３ｂと、基部１３ａの上端側から突出する上突起部１３ｃで略コの字状の板状に形成されたものである。
【００１５】
基部１３ａの上下寸法は４４ｍｍに設定されており、この基部１３ａの横幅は１５ｍｍに設定されている。即ち、１５ｍｍの幅の部分が支え枠５の先端に形成した溝内に嵌め込まれて固定されるものである。
下突起部１３ｂは突出長さが１５ｍｍに設定されており、その上下寸法は１０ｍｍに設定されている。また、上突起部１３ｃは突出長さが１０ｍｍに設定されており、上下方向寸法は１５ｍｍに設定されている。
【００１６】
一方、前脚２の上端側の内側面には、図４に示すように溝が形成されている。
即ち、溝は、落し込み溝１４と、回転穴１５と、浅溝１６と、深溝１７で構成されている。
落し込み溝１４は、その溝深さが１５ｍｍに設定されており、前脚２の背面２ａに対し２５°の角度で上方へ延びて形成されている。落し込み溝１４の上端には、連通状に内径１１ｍｍ程度で深さが１５ｍｍの回転穴１５が形成されている。
また、この回転穴１５から上方へ向かって前記落し込み溝１４と一直線状に浅溝１６が上方へ延びて形成されており、浅溝１６の上端は開放されたものとなっている。この浅溝１６の溝深さは１０ｍｍに設定されている。
また、この浅溝１６から６０°の角度をなして下方側に、回転穴１５に連通し先端側が開放された深溝１７が形成されており、この深溝１７の溝深さは１５ｍｍに設定されている。なお、この深溝１７と前記落し込み溝１４間は１２０°の角度に設定されている。
即ち、落し込み溝１４と回転穴１５と深溝１７の溝深さは、それぞれ１５ｍｍに設定されており、板部材１３の下突起部１３ｂの突出長さと同じ寸法に設定されている。
また、浅溝１６は溝深さが１０ｍｍであり、上突起部１３ｃの突出長さと同じに設定されている。
【００１７】
このような構成においては、予め支え枠５の左右両端側に板部材１３を嵌め込み状に固定して、図５のように、支え枠５に下突起部１３ｂと上突起部１３ｃを突出形成させておき、支え枠５を左右の前脚２に取り付ける際には、左右の前脚２の内側に形成されている溝深さ１５ｍｍの深溝１７内に、板部材１３の下突起部１３ｂを開放された側から挿入し、下突起部１３ｂを回転穴１５内に配置させる。
その状態で、回転穴１５内で下突起部１３ｂを回転させ、即ち、支え枠５を上方側へ回転させて、上突起部１３ｃを浅溝１６の開放された外側に配置させる。
この状態で、浅溝１６内に上突起部１３ｃを挿入させてゆき、下方側へ押し込むことで下突起部１３ｂが落し込み溝１４内に落し込まれ、浅溝１６内には上突起部１３ｃが挿入状態となる。
【００１８】
このようにして支え枠５を回転させて前脚２に取り付けることができ、取付状態では、支え枠５を上方へ引き上げても、突出長さが１５ｍｍの下突起部１３ｂが、深さ１０ｍｍの浅溝１６の回転穴１５側に当接して上側への移動が止まり、それ以上、上側へ引き上げることはできないために、乳幼児が支え枠５に上方側への力を加えても、支え枠５は取り外すことはできない。
【００１９】
なお、支え枠５を上方側へスライドさせて上突起部１３ｃを浅溝１６の外側へ引き上げた状態で、上突起部１３ｃを下方側へ回転させ、即ち、支え枠５を下方側へ回転させて、上突起部１３ｃを深溝１７の位置に配置させた状態では、深溝１７の溝深さは１５ｍｍであるため、回転穴１５側から深溝１７を通し下突起部１３ｂを外側へ抜き取ることができるものであり、このように取り外し時には、下方側へ回転させて支え枠５を取り外すことができるものとなる。
【００２０】
このようにネジを用いることなく、手で、支え枠５の取り付け時には上方へ回転させて、更に落し込むことで、容易に取り付けることができ、また、支え枠５を取り外す際には、上方へ押し上げて、その状態で下方側へ回転させることにより、容易に取り外すことができるものとなる。
なお、このような回転させて着脱させる動作は乳幼児にはできないため、使用中に乳幼児が支え枠５を外すようなことはなく、安全性が確保されたものとなる。
【符号の説明】
【００２１】
１  乳幼児用椅子
２  前脚
２ａ  背面
３  後脚
３ａ  嵌合溝
４  背板
５  支え枠
６  上座板
７  下座板
８  ベルト
１３  板部材
１３ａ  基部
１３ｂ  下突起部
１３ｃ  上突起部
１４  落し込み溝
１５  回転穴
１６  浅溝
１７  深溝
【図１】
0003185464.tif 000003
【図２】
0003185464.tif 000004
【図３】
0003185464.tif 000005
【図４】
0003185464.tif 000006
【図５】
0003185464.tif 000007
【図６】
0003185464.tif 000008